(57)【特許請求の範囲】
【請求項１】
支持脚の上部に設けた枢着軸に天板を枢着し、この天板を該枢着軸まわりで展開位置と折畳位置とに切換設定可能とされてなる折畳式テーブルにおいて、
支持脚の上部に設けた支持ブラケットにロックレバーの回転軸を枢着し、該ロックレバーに展開ロック爪と折畳ロック爪を備えるとともに、
天板側に展開係止ピンと折畳係止ピンとを設け、
該ロックレバーの展開ロック爪と折畳ロック爪のそれぞれが天板側の展開係止ピンと折畳係止ピンのそれぞれに係止するロック位置に該ロックレバーを弾発するばねを、該ロックレバーまわりに設け、
該ロックレバーをばねの弾発力に抗して上記ロック位置から非ロック位置に回転操作可能とする操作レバーを有してなる折畳式テーブルであって、
前記ロックレバーが左右のロックレバーからなり、左右のロックレバーは左右の支持ブラケットに枢着された１本の回転軸により連動可能に連結され、一方のロックレバーは展開ロック爪と折畳ロック爪を備え、他方のロックレバーは少なくとも展開ロック爪を備え、
左右のロックレバーは左右の支持ブラケットの内面側に設けられ、
操作レバーは左右の支持ブラケットの少なくとも一方の外面側に設けられ、ロックレバーの回転軸まわりに設けられて支持ブラケットの長孔に貫通配置される係合ピンと係合する係合孔を備えることを特徴とする折畳式テーブル。
【請求項２】
前記ロックレバーの展開ロック爪まわりの外縁部を、天板の展開過程で展開係止ピンが及ぼす衝合力によって該ロックレバーを非ロック位置の側に回転せしめるガイド面とするとともに、
該ロックレバーの折畳ロック爪まわりの外縁部を天板の折畳過程で折畳係止ピンが及ぼす衝合力によって該ロックレバーを非ロック位置の側に回転せしめるガイド面としてなる請求項１記載の折畳式テーブル。
【発明の詳細な説明】
【０００１】
【発明の属する技術分野】
本発明は、支持脚の上部に設けた枢着軸に天板を枢着し、この天板を枢着軸まわりで水平姿勢となる展開位置と鉛直姿勢となる折畳位置とに切換設定可能とされてなる折畳式テーブルに関する。
【０００２】
【従来の技術】
従来、折畳式テーブルとして、特開平４−６９０３０  号公報に記載の如くのものがある。この従来技術は、支持脚の上部にロックレバーを枢着し、このロックレバーに展開ロック爪を備えるとともに、該ロックレバーの展開ロック爪が天板側の展開係止ピンに係止するロック位置に該ロックレバーを弾発するばねを該ロックレバーまわりに設け、該ロックレバーをばねの弾発力に抗して上記ロック位置から非ロック位置に回転操作可能とする操作レバーを有してなるようにしたものである。
【０００３】
【発明が解決しようとする課題】
然しながら、従来技術では、天板を展開位置ではロックできるが、折畳位置ではロックできない。このため、折畳んだ天板を安定保持できず、取扱性が悪い。
【０００４】
本発明は、折畳式テーブルにおいて、天板を展開位置と折畳位置の両方でロック可能とすることを目的とする。
【０００５】
【課題を解決するための手段】
請求項１に記載の本発明は、支持脚の上部に設けた枢着軸に天板を枢着し、この天板を該枢着軸まわりで展開位置と折畳位置とに切換設定可能とされてなる折畳式テーブルにおいて、支持脚の上部に設けた支持ブラケットにロックレバーの回転軸を枢着し、該ロックレバーに展開ロック爪と折畳ロック爪を備えるとともに、天板側に展開係止ピンと折畳係止ピンとを設け、該ロックレバーの展開ロック爪と折畳ロック爪のそれぞれが天板側の展開係止ピンと折畳係止ピンのそれぞれに係止するロック位置に該ロックレバーを弾発するばねを、該ロックレバーまわりに設け、該ロックレバーをばねの弾発力に抗して上記ロック位置から非ロック位置に回転操作可能とする操作レバーを有してなる折畳式テーブルであって、前記ロックレバーが左右のロックレバーからなり、左右のロックレバーは左右の支持ブラケットに枢着された１本の回転軸により連動可能に連結され、一方のロックレバーは展開ロック爪と折畳ロック爪を備え、他方のロックレバーは少なくとも展開ロック爪を備え、左右のロックレバーは左右の支持ブラケットの内面側に設けられ、操作レバーは左右の支持ブラケットの少なくとも一方の外面側に設けられ、ロックレバーの回転軸まわりに設けられて支持ブラケットの長孔に貫通配置される係合ピンと係合する係合孔を備えるようにしたものである。
【０００６】
請求項２に記載の本発明は、請求項１に記載の本発明において更に、前記ロックレバーの展開ロック爪まわりの外縁部を、天板の展開過程で展開係止ピンが及ぼす衝合力によって該ロックレバーを非ロック位置の側に回転せしめるガイド面とするとともに、該ロックレバーの折畳ロック爪まわりの外縁部を天板の折畳過程で折畳係止ピンが及ぼす衝合力によって該ロックレバーを非ロック位置の側に回転せしめるガイド面としてなるようにしたものである。
【０００７】
請求項１に記載の本発明によれば下記▲１▼の作用効果がある。
▲１▼天板が展開位置に設定されたとき、天板側の展開係止ピンはロックレバーの展開ロック爪に係止し、この係止状態はばねの弾発力により維持される。また、天板が折畳位置に設定されたとき、天板側の折畳係止ピンはロックレバーの折畳ロック爪に係止し、この係止状態はばねの弾発力により維持される。従って、天板を展開位置と折畳位置の両方でロックできる。即ち、折畳んだ天板を安定保持でき、取扱性を向上できる。
【０００８】
請求項２に記載の本発明によれば下記▲２▼の作用効果がある。
▲２▼操作レバーに加える操作によりロックレバーをばねの弾発力に抗して一旦非ロック位置に回転操作した後の天板の展開過程で、天板側の展開係止ピンが該ロックレバーにおける展開ロック爪まわりの外縁ガイド面に衝合力を及ぼすと、この衝合力が該ロックレバーをばねの弾発力に抗して一旦非ロック位置に回転せしめる結果、該展開係止ピンを該ロックレバーの展開ロック爪内に導入可能とする。こうして展開ロック爪内に展開係止ピンを導入したロックレバーは、ばねの弾発力によりロック位置に保持され、天板を展開位置に保持する。即ち、ロックレバーの展開ロック爪まわりに外縁ガイド面を備えることにより、操作レバーに操作力を加えることなく、天板の展開操作に伴ってロックレバーを適宜のタイミングで一旦非ロック位置に回転し、展開ロック爪と係止ピンとの係止を得ることができる。
【０００９】
また、操作レバーに加える操作によりロックレバーをばねの弾発力に抗して一旦非ロック位置に回転操作した後の天板の折畳過程でも、天板側の折畳係止ピンが該ロックレバーにおける折畳ロック爪まわりの外縁ガイド面に衝合力を及ぼすと、この衝合力が該ロックレバーをばねの弾発力に抗して一旦非ロック位置に回転せしめる結果、該折畳係止ピンを該ロックレバーの折畳ロック爪内に導入可能とする。こうして折畳ロック爪内に折畳係止ピンを導入したロックレバーは、ばねの弾発力によりロック位置に保持され、天板を折畳位置に保持する。即ち、ロックレバーの折畳ロック爪まわりに外縁ガイド面を備えることにより、操作レバーに操作力を加えることなく、天板の折畳操作に伴ってロックレバーを適宜のタイミングで一旦非ロック位置に回転し、折畳ロック爪と係止ピンとの係止を得ることができる。
【００１０】
【発明の実施の形態】
図１は折畳式テーブルの展開状態を示す模式図、図２は折畳式テーブルの折畳状態を示す模式図、図３は図１の要部を示す模式図、図４は折畳式テーブルの姿勢変化を示す模式図である。
【００１１】
折畳式テーブル１０は、図１、図２に示す如く、左右一対の脚台１１の各中央に左右の支持脚１２のそれぞれを立て、左右の支持脚１２の上部（内筒１８）をつなぐ横架材１２Ａの左右両端部のそれぞれに設けた支持ブラケット１３に枢着軸１４を介して天板１５の取付枠１５Ａを枢着している。天板１５は、枢着軸１４まわりで水平姿勢となる展開位置（図１）と、鉛直姿勢となる折畳位置（図２）とに切換設定可能とされている。このとき、枢着軸１４は支持脚１２、横架材１２Ａより水平方向外方にずれた位置に設定され、折畳位置で鉛直姿勢となる天板１５が横架材１２Ａに干渉することのないようになっている。
【００１２】
尚、脚台１１はキャスタ１６を備えている。また、支持脚１２は外筒１７に内筒１８を嵌入した伸縮可能の二重筒構造であり、外筒１７に設けたハンドル付ねじ１９を内筒１８の高さ方向複数位置のそれぞれに設けたねじ孔２０のいずれかに選択的に螺合し、結果として、天板１５の高さ位置を任意に調整可能としている。
【００１３】
然るに、折畳式テーブル１０は、左右の支持脚１２をつなぐ横架材１２Ａの左右両端部のそれぞれに設けた支持ブラケット１３にロックレバー２１の回転軸２２を枢着している。回転軸２２は左右のロックレバー２１を連結する１本の棒材からなり、これによって、左右のロックレバー２１は常に連動するものとなる。ロックレバー２１は、支持ブラケット１３の内面側に設けられており、Ｕ字状溝付展開ロック爪２３とＵ字状溝付折畳ロック爪２４とを備える。
【００１４】
他方、天板１５の取付枠１５Ａは、ロックレバー２１の展開ロック爪２３が係脱できる展開係止ピン２５と折畳係止ピン２６とを備える。
【００１５】
そして、ロックレバー２１の回転軸２２まわりには、ばね２７が設けられている。ばね２７は、ロックレバー２１の展開ロック爪２３と折畳ロック爪２４のそれぞれが、天板１５側の展開係止ピン２５と折畳係止ピン２６のそれぞれに係止するロック位置に該ロックレバー２１を弾発する。ばね２７の一端部は支持ブラケット１３に、他端部はロックレバー２１に係合し、上記弾発力をロックレバー２１に付与している。ロックレバー２１は、ばね２７の弾発力作用下で鉛直外縁部２１Ａを前述の横架材１２Ａの鉛直面に衝合することにて回り止めされ、上述のロック位置に維持される。
【００１６】
尚、展開位置に設定された天板１５は、ロックレバー２１の展開ロック爪２３が天板１５側の展開係止ピン２５に下向き回転力を付与する状態下で、天板１５の取付枠１５Ａ下面を支持ブラケット１３の水平上縁部１３Ａに衝合する状態下で、天板１５側の展開係止ピン２５をロックレバー２１の展開ロック爪２３の溝内に保持（或いは展開係止ピン２５をロックレバー２１の展開ロック爪２３と支持ブラケット１３のＵ字状係止溝１３Ｂとに挟んで保持）することにて、天板１５を水平姿勢に維持する（図３、図４（Ｃ））。また、折畳位置に設定された天板１５は、ロックレバー２１が前述の如くに横架材１２Ａの鉛直面に衝合してロック位置に維持される状態下で、天板１５側の折畳係止ピン２６をロックレバー２１の折畳ロック爪２４の溝内に保持（或いは折畳係止ピン２６をロックレバー２１の折畳ロック爪２４と支持ブラケット１３のＵ字状係止溝１３Ｃとの挟んで保持）することにて、天板１５を鉛直姿勢に維持する（図４（Ａ））。
【００１７】
また、折畳式テーブル１０は、左右の支持ブラケット１３のうちの一方の支持ブラケット１３の外面側に、図３（Ａ）に示す如く、操作レバー３０を設けている。操作レバー３０は、前述したロックレバー２１の回転軸２２の一端部にて該ロックレバー２１と同軸支持されるとともに、ロックレバー２１の回転軸２２まわりに設けた係合ピン２８と係合する係合孔３１を備える。係合ピン２８は、ロックレバー２１と操作レバー３０との間に位置する支持ブラケット１３に設けてある長孔２９内を横移動可能に貫通配置されている。即ち、使用者が操作レバー３０の指かけ操作部３０Ａを用いて手動操作することにより、ロックレバー２１はばね２７の弾発力に抗して、前述のロック位置から非ロック位置に回転操作されるものとなる。このとき、操作レバー３０が一方のロックレバー２１のみと係合ピン２８にて係合されているとしても、左右のロックレバー２１は前述の回転軸２２の存在により連動する。
【００１８】
尚、折畳式テーブル１０にあっては、ロックレバー２１の展開ロック爪２３まわりの外縁部を、天板１５の展開過程で展開係止ピン２５が及ぼす衝合力によってロックレバー２１を非ロック位置の側に回転せしめるガイド面４１としている（図４（Ｂ））。また、ロックレバー２１の折畳ロック爪２４まわりの外縁部を、天板１５の折畳過程で折畳係止ピン２６が及ぼす衝合力によってロックレバー２１を非ロック位置の側に回転せしめるガイド面４２としている（図４（Ｄ））。
【００１９】
本発明の実施において、操作レバー３０は左右の支持ブラケット１３のうちの一方の支持ブラケット１３側にのみ設けるものでなく、両支持ブラケット１３側に設けてもよい。また、左右のロックレバー２１のうち、一方のロックレバー２１は折畳ロック爪２４を備えないものであってもよい。
【００２０】
以下、折畳式テーブル１０の使用方法について説明する（図４）。
（１）  テーブル１０の展開動作
▲１▼操作レバー３０の手動操作によりロックレバー２１を非ロック位置に回転操作することにて、ロックレバー２１の折畳ロック爪２４を天板１５側の折畳係止ピン２６から離脱するとともに、天板１５に手をかけて該天板１５を折畳位置から展開位置の側に回転する（図４（Ａ）〜（Ｂ））。尚、折畳ロック爪２４を折畳係止ピン２６から離脱したら、操作レバー３０から手を離し、ロックレバー２１をロック位置に自動復帰せしめておく。
【００２１】
▲２▼上記▲１▼による天板１５の展開過程で、天板１５を回転させていくと、天板１５側の展開係止ピン２５がロックレバー２１の展開ロック爪２３まわりのガイド面４１に衝合し（図４（Ｂ））、展開係止ピン２５が及ぼす衝合力によってロックレバー２１は非ロック位置の側に一旦回転せしめられ、展開係止ピン２５はロックレバー２１の展開ロック爪２３に押し込み導入される。展開ロック爪２３内に展開係止ピン２５が導入されたロックレバー２１は、ばね２７の弾発力によりロック位置に自動復帰して展開係止ピン２５を展開ロック爪２３内に保持し続け、天板１５を水平姿勢の展開位置に保持する（図４（Ｃ））。
【００２２】
（２）  テーブル１０の折畳動作
▲１▼操作レバー３０の手動操作によりロックレバー２１を非ロック位置に回転操作することにて、ロックレバー２１の展開ロック爪２３を天板１５側の展開係止ピン２５から離脱するとともに、天板１５に手をかけて該天板１５を展開位置から折畳位置の側に回転する（図４（Ｃ）〜（Ｄ））。尚、展開ロック爪２３を展開係止ピン２５から離脱したら、操作レバー３０から手を離し、ロックレバー２１をロック位置に自動復帰せしめておく。
【００２３】
▲２▼上記▲１▼による天板１５の折畳過程で、天板１５を回転させていくと、天板１５側の折畳係止ピン２６がロックレバー２１の折畳ロック爪２４まわりのガイド面４２に衝合し（図４（Ｄ））、折畳係止ピン２６が及ぼす衝合力によってロックレバー２１は非ロック位置の側に一旦回転せしめられ、折畳係止ピン２６はロックレバー２１の折畳ロック爪２４に押し込み導入される。折畳ロック爪２４内に折畳係止ピン２６を導入されたロックレバー２１は、ばね２７の弾発力によりロック位置に自動復帰して折畳係止ピン２６を折畳ロック爪２４内に保持し続け、天板１５を鉛直姿勢の折畳位置に保持する（図４（Ａ））。テーブル１０は、天板１５をこの折畳位置に保持されることにより、不使用時の格納省スペースを図ることができるものとなる。
【００２４】
従って、本実施例によれば、下記▲１▼、▲２▼の作用効果がある。
▲１▼天板１５が展開位置に設定されたとき、天板１５側の展開係止ピン２５はロックレバー２１の展開ロック爪２３に係止し、この係止状態はばね２７の弾発力により維持される。また、天板１５が折畳位置に設定されたとき、天板１５側の折畳係止ピン２６はロックレバー２１の折畳ロック爪２４に係止し、この係止状態はばね２７の弾発力により維持される。従って、天板１５を展開位置と折畳位置の両方でロックできる。即ち、折畳んだ天板１５を安定保持でき、取扱性を向上できる。
【００２５】
▲２▼操作レバー３０に加える操作によりロックレバー２１をばね２７の弾発力に抗して一旦非ロック位置に回転操作した後の天板１５の展開過程で、天板１５側の展開係止ピン２５が該ロックレバー２１における展開ロック爪２３まわりの外縁ガイド面４１に衝合力を及ぼすと、この衝合力が該ロックレバー２１をばね２７の弾発力に抗して一旦非ロック位置に回転せしめる結果、該展開係止ピン２５を該ロックレバー２１の展開ロック爪２３内に導入可能とする。こうして展開ロック爪２３内に展開係止ピン２５を導入したロックレバー２１は、ばね２７の弾発力によりロック位置に保持され、天板１５を展開位置に保持する。即ち、ロックレバー２１の展開ロック爪２３まわりに外縁ガイド面４１を備えることにより、操作レバー３０に操作力を加えることなく、天板１５の展開操作に伴ってロックレバー２１を適宜のタイミングで一旦非ロック位置に回転し、展開ロック爪２３と係止ピン２５との係止を得ることができる。
【００２６】
また、操作レバー３０に加える操作によりロックレバー２１をばね２７の弾発力に抗して一旦非ロック位置に回転操作した後の天板１５の折畳過程でも、天板１５側の折畳係止ピン２６が該ロックレバー２１における折畳ロック爪２４まわりの外縁ガイド面４２に衝合力を及ぼすと、この衝合力が該ロックレバー２１をばね２７の弾発力に抗して一旦非ロック位置に回転せしめる結果、該折畳係止ピン２６を該ロックレバー２１の折畳ロック爪２４内に導入可能とする。こうして折畳ロック爪２４内に折畳係止ピン２６を導入したロックレバー２１は、ばね２７の弾発力によりロック位置に保持され、天板１５を折畳位置に保持する。即ち、ロックレバー２１の折畳ロック爪２４まわりに外縁ガイド面４２を備えることにより、操作レバー３０に操作力を加えることなく、天板１５の折畳操作に伴ってロックレバー２１を適宜のタイミングで一旦非ロック位置に回転し、折畳ロック爪２４と係止ピン２６との係止を得ることができる。
【００２７】
【発明の効果】
以上のように本発明によれば、折畳式テーブルにおいて、天板を展開位置と折畳位置の両方でロック可能とすることができる。
【図面の簡単な説明】
【図１】図１は折畳式テーブルの展開状態を示す模式図である。
【図２】図２は折畳式テーブルの折畳状態を示す模式図である。
【図３】図３は図１の要部を示す模式図である。
【図４】図４は折畳式テーブルの姿勢変化を示す模式図である。
【符号の説明】
１０  折畳式テーブル
１２  支持脚
１４  枢着軸
１５  天板
２１  ロックレバー
２２  回転軸
２３  展開ロック爪
２４  折畳ロック爪
２５  展開係止ピン
２６  折畳係止ピン
２７  ばね
３０  操作レバー
４１、４２  ガイド面
【図１】
0003547229.tif 000002
【図２】
0003547229.tif 000003
【図３】
0003547229.tif 000004
【図４】
0003547229.tif 000005